(57)【要約】      （修正有）【課題】防風性・防寒性を高めながら襟付きの服から襟のないパーカーへ外観を変化させることができるフードが取り付け可能な襟付きの衣類を提供する。【解決手段】フードの下端部１が袋状になっており、フード下端部の袋状の構造の内側の見返し面に設けられたボタン２を台襟に設けられたボタンホール３、フードの外側に設けられたボタンホール４の順にそれぞれ通す。フード外側のボタンホール４から出たボタン２ａをチンタブに設けられたボタンホール５ａにそれぞれ通す。フード６の下端部の袋状の構造とチンタブ７が襟を覆うことで防風性・防寒性を高め、外観は襟付きの服から襟の無いパーカーに変えることができる。またこの構造では襟付きの衣類９本体にはボタンホール３以外の仕様を必要としないため、衣類本体のシンプルな襟の外観を損なわず、ボタン２はフードの外側に出るのでフード装着時に体に当たることがなく着心地を損なわない。【選択図】図１
0003189017.tif 000002
【実用新案登録請求の範囲】
【請求項１】
フードの下端部１の袋状の構造の内側の見返し面に設けられた３つ以上のボタン２ａ、２ｂ、２ｃ、２ｄを襟付きの服９の台襟８に設けられた１つ以上のボタンホール３ｂ、３ｃと襟付きの衣類９の第一ボタン位置に設けられたボタンホール３ａ、３ｄにそれぞれ通し、フード６の下端部に設けられた袋状の構造で襟を挟み込み、フードの下端部１の袋状の構造の外側に設けられたボタンホール４ａ、４ｂ、４ｃ、４ｄにボタン２をそれぞれ通し、２つ以上のボタンホールを持つチンタブ７が有するボタンホール５ａ、５ｂにフード６に設けられたボタン２ａ、２ｄを通すことで、襟付きの衣類の襟を包み隠すようにフードとチンタブが取り付けられるため、防風性と防寒性を高めながら襟付きの衣類の外観から襟のないパーカーの外観を作ることができることを特徴とするフードが取り外し可能な襟付きの衣類。
【考案の詳細な説明】
【技術分野】
【０００１】  この考案はフードが取り外し可能な襟付きの衣類に関するものである。
【背景技術】
【０００２】  従来、コートやシャツ等の衣類において防風・防寒等または外観を変えるためにフードを着脱できるものがある図８。これらのフード着脱タイプのものは図示しないファスナーや複数のボタン等が身ごろと襟との接続部に沿った位置及びフードの下端辺に沿った下部位置に設けられている。そして必要に応じてフードを身ごろにファスナーあるいはボタンにより取り付けすることができるようになっている。
【考案の概要】
【考案が解決しようとする課題】
【０００３】  しかしながら、以上の技術によればフードを身ごろに取り付けることになり、ボタンによる取り付け方では隙間風がフード内に侵入しやすく、ファスナーではフードを使用しない時に襟の回りに配置されているファスナーが目立つことでフードの非装着時の襟付きの衣類の見栄えが悪かった。さらにフードの装着時と非装着時ではフードを身ごろに取り付けるため襟の外観の変化はなかった。【０００４】  本考案はかかる事情に鑑みてなされたものであり、その目的はフードを取り付けることで防風性・防寒性を高めるとともに、フードで襟を包むように隠して台襟に取り付け、さらにフードの取り付けに使用した同じボタンでチンタブを取り付けることで接続部を隠しながら襟回りを広げるため、襟の見栄えの変化を作ることができ、襟なしのパーカーの外観と襟付きの衣類の外観を両方作ることができるフード付きの衣類を提供することである。
【課題を解決するための手段】
【０００５】  上述した従来技術の問題点を解決し、上述した目的を達成するために、
フードの下端部１に袋状の構造を設け、フード下端部の袋状の構造の内側の見返し面に設けられたボタン２を台襟に設けられたボタンホール３、フードの外側に設けられたボタンホール３の順にそれぞれ通す。フード下端部の袋状の構造の外側に設けられたボタンホール４から出したボタン２をチンタブに設けられたボタンホール５に通す。
【考案の効果】
【０００６】フードの下端部の袋状の構造とチンタブが襟を覆うことで防風性・防寒性を高め、フード取り付け時の外観も襟付きの服図３から襟の無いパーカー図２に変化させることができる。【０００７】この構造では襟付きの衣類９本体にはボタンホール３以外の仕様を必要としないため、襟付きの衣類本体のシンプルな襟の見栄えを損なわず、ボタン２は外側に出るのでフード装着時に体に当たることがなく着心地を損なわない。
【図面の簡単な説明】
【０００８】
【図１】図１は本考案の一実施例としてのフードが取り外し可能な衣類の概略斜視図である。
【図２】図２はフードを取り付けた状態を示す襟付きの衣類の概略図である。
【図３】図３はフードを取り外した状態を示す襟付きの衣類の概略図である。
【図４】フード下端部が有する袋状の構造と台襟に設けたボタンホールの取り付け位置を示す部分の外略図である。
【図５】フード下端部が有する袋状の構造で台襟を包むように取り付けた際の切断図を示す概略図である。
【図６】本考案で使用するチンタブの一実施例である。
【図７】本考案で使用するチンタブの一実施例である。
【図８】従来例のフード取り外しが可能な襟付きの衣類。
【実施例】
【０００９】以下、本考案に関る一実施例を説明する。
図３に示すように襟付きの衣類９の前身ごろ１２ａには左右を閉じるためのボタン１０、前身ごろ１２ｂにはボタンホール１１がそれぞれ下端から第２ボタンの位置まで設けられている。台襟８上の第一ボタンの位置には左右ともにボタンホール３ａ，３ｄが設けられている。【００１０】  図５に示すように襟付きの衣類の上襟１５を立ててフード６の下端部１に設けられた袋状の構造で上襟１５と台襟８を挟み込み、フードの下端部の袋状構造の内側の見返し面１３に設けられたボタン２を台襟８に設けられたボタンホール３にそれぞれ通し、さらにフードの下端部の袋状の構造の外側１４に設けられたボタンホール４を通してフード６を襟付きの衣類に取り付ける。【００１１】  図２に示すチンタブ７の有するボタンホール５ａ、５ｂに襟を包むフード６に設けられたボタン２ａ、２ｄを襟付きの衣類９とフード６が接続している状態で通すことでチンタブを取り付ける。【００１２】上記のように形成されたフード付きの衣類では図５で示すようにフード下端１の袋状の構造で包み込むように台襟８と接続することで防風性・防寒性を高めている。【００１３】フードを取り付け可能な襟付きの衣類９では、フード６を取り付けるために台襟８に複数のボタンホール３を設けるだけでよく、また後方のボタンホール３ｂ、３ｃは上襟１５を倒す際は外から見えなくなるので、フードを装着しない時の見栄えを損なわない。【００１４】フード６を襟付きの衣類９に取り付けるとフードで襟を挟み込む構造になるため襟が見えなくなり例えば図３のようにシャツから図２のような襟の無いマウンテンパーカーのような外観に変えることができる。図２の際にチンタブ７で襟を閉める仕様にすることで襟周りにゆとりが出る見栄えを作ることができるとともに、前方のフード６と襟付きの衣類９の接続部が見えなくなることでフードと身頃が一体化しているような外観を作ることができる。【００１５】  尚、本考案は上述した実施形態には限定されない。
すなわち、当事者は、本考案の技術的範囲またはその均等の範囲内において、上述した実施形態の構成要素に関し、様々な変更、コンビネーション、サブコンビネーション、並びに代替を行っても良く例えば次のように構成することもできる。
（１）上記の実施例では前身ごろ１２の左右の閉め方としてボタンを使用したが、これはファスナーやマジックテープ等でもよくボタンのみに限定されない。また前身ごろの形状、左右どちらが上に来るか、素材は限定されない。
（２）上記の実施例では台襟８に設けられたボタンホールの数が４ヵ所であったがこのボタンホールの数は３ヵ所でも５ヵ所以上でもよくその数、大きさ、穴の向き、形状、ハトメ穴、素材は限定されない。
（３）上記実施例ではフードの形状に触れていないが、フードの形状、素材、大きさは限定されない。
（４）上記実施例ではフード下端部の袋状の構造の内側の見返し面にボタン２を設けているが、このボタンの形状、色、大きさ、向き、又はボタンに変わるホック等を変わりに使用することは限定されない。
（５）上記実施例では襟付きの衣類としてシャツを記述したが、襟付きの服の種類、形状、大きさ、素材は限定されない。
（６）上記実施例では図６のボタンホールを２つ持つチンタブを用いる内容で記述したが、図７のようにチンタブに３つ以上のボタンホールを設け、フード下端部の袋状の構造の内側の見返し面に設けているボタン２以外に前身ごろのボタンを使用して３点以上で固定する場合もある。またチンタブ７の大きさ、素材、色、形状、ボタンホールの数、ボタンホールの形状、ハトメ穴の数、ハトメ穴の形状は限定されない。
【産業上の利用可能性】
【００１６】    本考案は、フードが着脱可能な襟付き衣類に適用可能である。
【符号の説明】
【００１７】１・・・フード下端部
２・・・フード下端部の袋状の構造の内側の見返し面に設けられたボタン
３・・・台襟に設けられたボタンホール
４・・・フード下端部の袋状の構造の外側に設けられたボタンホール
５・・・チンタブに設けられたボタンホール
６・・・フード
７・・・チンタブ
８・・・台襟
９・・・襟付きの衣類
１０・・・前身ごろのボタン
１１・・・前身ごろのボタンホール
１２・・・前身ごろ
１３・・・フード下端部袋状構造内側の見返し面
１４・・・フード下端部袋状構造外側の外面
１５・・・上襟
１６・・・本考案の襟を包むフードを取り付けた衣類
１７・・・フード下端部袋状構造内側の肌接地面
１８・・・フード下端部袋状構造外側の見返し面
１９・・・身ごろに取り外し可能なフード
【図１】
0003189017.tif 000003
【図２】
0003189017.tif 000004
【図３】
0003189017.tif 000005
【図４】
0003189017.tif 000006
【図５】
0003189017.tif 000007
【図６】
0003189017.tif 000008
【図７】
0003189017.tif 000009
【図８】
0003189017.tif 000010